(57)【要約】【課題】壁に掛けて使用することができると共に、壁に掛けずに保管しておく場合に体裁面の意匠性を損なわないようにする。【解決手段】台紙１は、板状に形成されたカバー部２１，２５と、カバー部２１，２５の一方の面に重ねられるガイド部２２，２６と、フック部材４Ａ，４Ｂと、取付対象物が載置される載置部５Ａ，５Ｂとを備える。ガイド部２２，２６には、ガイド溝２３，２７が設けられている。フック部材４Ａ，４Ｂは、ガイド溝２３，２７に案内されて移動し、カバー部２１，２５内に収まる収納位置と、カバー部２１，２５の周縁から突出する突出位置に配置される。載置部５Ａ，５Ｂは、ガイド部２２，２６に重ねられると共にフック部材４Ａ，４Ｂの一部を露出させる操作用窓３１，３２を有している。【選択図】図２
2010273808.tif 000002
【特許請求の範囲】
【請求項１】
板状に形成されたカバー部と、
前記カバー部の一方の面に重ねられると共にガイド溝が設けられたガイド部と、
前記ガイド部の前記ガイド溝に案内され、前記カバー部内に収まる収納位置と、前記カバー部の周縁から突出する突出位置との間で移動するフック部材と、
前記ガイド部に重ねられると共に前記フック部材の一部を露出させる操作用窓を有し、取付対象物が載置される載置部と、
を備える台紙。
【請求項２】
前記フック部材は、前記操作用窓から露出する操作部を有する
請求項１記載の台紙。
【請求項３】
前記フック部材は、第１のフック片と、第２のフック片を有し、
前記突出位置は、前記第１のフック片が前記カバー部の周縁から突出して前記第２のフック片が前記カバー部内に配置される第１の突出位置と、前記第２のフック片が前記カバー部の周縁から突出して前記第１のフック片が前記カバー部内に配置される第２の突出位置からなる
請求項２記載の台紙。
【請求項４】
前記第１のフック片が前記カバー部の周縁から突出する方向は、前記第２のフック片が前記カバー部の周縁から突出する方向に対して交差する方向である
請求項３記載の台紙。
【請求項５】
前記ガイド溝は、フック部材を円周方向に案内する円弧状に形成されている
請求項４記載の台紙。
【請求項６】
前記載置部に重ねられ、前記取付対象物を表示させる開口部が設けられたフレームを有する
請求項１〜５の何れかに記載の台紙。
【請求項７】
前記フレームの前記開口部は、前記操作用窓の少なくとも一部を表示させる位置に設けられる
請求項６記載の台紙。
【発明の詳細な説明】
【技術分野】
【０００１】
本発明は、写真や絵などを取り付けて、壁に掛けて使用することができる台紙に関する。
【背景技術】
【０００２】
従来から、婚礼、入学式、卒業式などの記念写真を取り付ける写真台紙が用いられている。このような写真台紙としては、例えば、特許文献１に記載されているようなものがある。この特許文献１に記載された写真台紙は、特定サイズの写真を裏面から臨ませる窓孔が設けられた写真貼着用台紙と、この写真貼着用台紙が嵌め込まれる台枠とを備えている。写真貼着用台紙は、正方形に形成されている。そのため、写真貼着用台紙に貼り付けられた写真が縦長であっても横長であっても、その写真に応じた向きで写真貼着用台紙を台枠に嵌め込むことができるようになっている。
【０００３】
ところで、写真を取り付けた写真台紙は、机や本棚などに保管されることが多い。そのため、写真台紙に取り付けた写真は、観賞される機会が少なくなる。そこで、取り付けた写真が観賞されるように、立て掛けることが可能な写真台紙が提案されている。
【０００４】
立て掛けることが可能な写真台紙としては、例えば、特許文献２に記載されているようなものがある。特許文献２には、安定して立て置きすることのできる自立用のスタンド付台紙に関するものが記載されている。この特許文献２に記載された自立用のスタンド付台紙は、切目枠内を折り起こして展開することにより形成される傾斜脚と、この傾斜脚に切込みを設けることにより設けられた水平脚とを有している。
【先行技術文献】
【特許文献】
【０００５】
【特許文献１】特開平８−１７３２８７号公報
【特許文献２】特開２００５−１１０７４２号公報
【発明の概要】
【発明が解決しようとする課題】
【０００６】
しかしながら、特許文献１及び特許文献２に記載された台紙は、壁に掛けて飾ることができなかった。また、特許文献２に記載された台紙では、背表紙に切り込みを設けることで傾斜脚及び水平脚を形成する。そのため、台紙を飾らずに保管しておく場合には、体裁面に傾斜脚及び水平脚のための切込みが表れることになり、意匠性を阻害するという問題があった。
【０００７】
本発明は、このような状況に鑑みてなされたものであり、壁に掛けて使用することができると共に、壁に掛けずに保管しておく場合に体裁面の意匠性を損なわないようにすることを目的とする。
【課題を解決するための手段】
【０００８】
上記の課題を解決し、本発明の目的を達成するため、本発明の台紙は、板状に形成されたカバー部と、カバー部の一方の面に重ねられるガイド部と、フック部材と、取付対象物が載置される載置部とを備える。ガイド部には、ガイド溝が設けられている。フック部材は、ガイド部のガイド溝に案内されて移動し、カバー部内に収まる収納位置と、カバー部の周縁から突出する突出位置に配置される。載置部は、ガイド部に重ねられると共にフック部材の一部を露出させる操作用窓を有している。
【０００９】
本発明の台紙を壁に掛けずに保管する場合は、フック部材をガイド溝に沿って移動させ、収納位置に配置する。これにより、フック部材をカバー部内に納めることができ、体裁面の意匠性を阻害することがない。また、本発明の台紙を壁に掛けて飾る場合は、フック部材をガイド溝に沿って移動させ、突出位置に配置する。これにより、フック部材をカバー部の周縁から突出させることができ、台紙を壁に掛けることができる。
【発明の効果】
【００１０】
本発明の台紙によれば、フック部材を突出位置に配置することにより、壁に掛けて使用することができる。また、壁に掛けずに保管しておく場合は、フック部材を収納位置に配置することにより、体裁面の意匠性を損なわないようにすることができる。
【図面の簡単な説明】
【００１１】
【図１】本発明の台紙の第１の実施の形態の斜視図である。
【図２】本発明の台紙の第１の実施の形態の分解斜視図である。
【図３】図３（ａ）は本発明の台紙の第１の実施の形態に係るベース部材を展開して開いた状態の説明図、図３（ｂ）は本発明の台紙の第１の実施の形態に係るベース部材の平面図である。
【図４】本発明の台紙の第１の実施の形態に係るフック部材の平面図である。
【図５】図５（ａ）は本発明の台紙の第１の実施の形態を壁に掛けて使用する第１の状態を示す説明図、図５（ｂ）は本発明の台紙の第１の実施の形態を壁に掛けて使用する第２の状態を示す説明図である。
【図６】図６（ａ）は本発明の台紙の第２の実施の形態に係るフック部材を収納位置に配置した状態の説明図、図６（ｂ）は本発明の台紙の第２の実施の形態に係るフック部材を突出位置に配置した状態の説明図である。
【発明を実施するための形態】
【００１２】
以下、本発明の台紙を実施するための形態について、図１〜図６を参照して説明する。各図において共通の部材には、同一の符号を付している。
【００１３】
〈１．第１の実施の形態〉
［台紙］
まず、本発明の台紙の第１の実施の形態について、図１及び図２を参照して説明する。
図１は、本発明の台紙の第１の実施の形態の斜視図である。図２は、同じく分解斜視図である。
【００１４】
台紙１は、写真や絵などの取付対象物を取り付ける、いわゆる写真台紙である。この台紙１は、表紙２と、ベース部材３Ａ，３Ｂと、フック部材４Ａ，４Ｂと、載置部５Ａ，５Ｂと、フレーム６Ａ，６Ｂを備えている。表紙２は、長方形の板状に形成されており、二つ折りにして重なるおもて表紙１１及びうら表紙１２と、おもて表紙１１とうら表紙１２を連結する背表紙１３からなっている。
【００１５】
おもて表紙１１及びうら表紙１２は、それぞれ長方形に形成されており、一方の長辺が背表紙１３に折り曲げ可能に連続している。表紙２を二つ折りにした状態において、おもて表紙１１の一方の平面１１ａは、うら表紙１２の一方の平面１２ａと対向する。これらおもて表紙１１及びうら表紙１２の平面１１ａ，１２ａには、ベース部材３Ａ，３Ｂがそれぞれ固定される。また、おもて表紙１１及びうら表紙１２の他方の平面は、台紙１の体裁面を形成する。
【００１６】
ベース部材３Ａ，３Ｂは、略同じ大きさの長方形に形成されている。ベース部材３Ａは、カバー部２１と、このカバー部２１に重ねられるガイド部２２から構成されている。カバー部２１は、長方形の板状に形成されている。カバー部２１の表面２１ａは、ガイド部２２に対向する。一方、カバー部２１の裏面２１ｂは、接着剤や接着シート等の固着方法によっておもて表紙１１の平面１１ａに接着される。
【００１７】
ガイド部２２は、カバー部２１と同じ大きさの長方形の板状に形成されており、一方の長辺がカバー部２１の一方の長辺に折り曲げ可能に連続している。ガイド部２２の表面２２ａは、載置部５Ａに対向する。一方、ガイド部２２の裏面２２ｂは、接着剤や接着シート等の固着方法によってカバー部２１の表面２１ａに接着される。このガイド部２２には、フック部材４Ａの移動を案内するガイド溝２３が設けられている。
【００１８】
ベース部材３Ｂは、ベース部材３Ａと同様に、カバー部２５と、ガイド部２６から構成されている。カバー部２５の表面２５ａは、ガイド部２６に対向する。一方、カバー部２５の裏面２５ｂは、接着剤や接着シート等の固着方法によってうら表紙１２の平面１２ａに接着される。ガイド部２６の表面２６ａは、載置部５Ｂに対向する。一方、ガイド部２６の裏面２６ｂは、接着剤や接着シート等の固着方法によってカバー部２５の表面２５ａに接着される。このガイド部２６には、フック部材４Ｂの移動を案内するガイド溝２７が設けられている。
【００１９】
フック部材４Ａは、ガイド部２２に案内されて移動し、カバー部２１内に収まる収納位置と、カバー部２１の周縁から突出する第１及び第２の突出位置に配置される。また、フック部材４Ｂは、ガイド部２６に案内されて移動し、カバー部２５内に収まる収納位置と、カバー部２５の周縁から突出する突出位置に配置される。これらフック部材４Ａ，４Ｂについては、後で詳しく説明する。
【００２０】
載置部５Ａ，５Ｂは、ベース部材３Ａ，３Ｂと略同じ大きさの長方形の板状に形成されている。載置部５Ａ，５Ｂは、それぞれガイド部２２，２６の表面２２ａ,２６ａに重ねられ、接着剤や接着シートなどの固着方法によって接着される。これら載置部５Ａ，５Ｂには、写真や絵などの取付対象物（不図示）が取付けられる。
【００２１】
載置部５Ａ，５Ｂに取付対象物を取り付ける方法としては、例えば、接着剤や接着シートなどの固着方法を挙げることができる。また、載置部５Ａ，５Ｂに切込みを設け、その切込みに取付対象物の端部（角部）を挿入するようにしてもよい。
【００２２】
載置部５Ａには、フック部材４Ａの一部を露出させる操作用窓３１が設けられている。この操作用窓３１は、フック部材４Ａの移動方向Ｒ１，Ｒ２に沿って延びる円弧状に形成されている。また、載置部５Ｂには、フック部材４Ｂの一部を露出させる操作用窓３２が設けられている。この操作用窓３２は、フック部材４Ｂの移動方向Ｒ３，Ｒ４に沿って延びる円弧状に形成されている。
【００２３】
フレーム６Ａは、ベース部材３Ａ及び載置部５Ａと略同じ大きさの長方形に形成されており、載置部５Ａに重ねられる。このフレーム６Ａは、載置部５Ａに載置された取付対象物を表示させる四角形の開口部３５を有している。つまり、フレーム６Ａは、長手方向に対向する上部片３４ａ及び下部片３４ｂと、短手方向に対向する側部片３４ｃ，３４ｄから構成されている（図２参照）。このフレーム６Ａは、上部片３４ａを接着剤や接着シートなどの固着方法によって載置部５Ａに接着することにより、載置部５Ａに開閉可能に取付けられている。
【００２４】
フレーム６Ｂは、ベース部材３Ｂ及び載置部５Ｂと略同じ大きさの長方形に形成されており、載置部５Ｂに重ねられる。このフレーム６Ｂは、載置部５Ｂに載置された取付対象物を表示させる四角形の開口部３７Ａ，３７Ｂを有している。開口部３７Ａ，３７Ｂは、略同じ大きさに形成されており、フレーム６Ｂの長手方向に適当な間隔をあけて配置されている。したがって、載置部５Ｂには、開口部３７Ａ，３７Ｂに合わせて２つの取付対象物を載置できるようになっている。
【００２５】
フレーム６Ｂは、長手方向に対向する上部片３６ａ及び下部片３６ｂと、短手方向に対向する側部片３６ｃ，３６ｄと、開口部３７Ａ，３７Ｂを仕切る仕切り片３６ｅから構成されている（図２参照）。このフレーム６Ｂは、上部片３６ａを接着剤や接着シートなどの固着方法によって載置部５Ｂに接着することにより、載置部５Ｂに開閉可能に取付けられている。
【００２６】
仕切り片３６ｅは、載置部５Ｂに設けた操作用窓３２の一端を覆うようになっている（図１参照）。そして、操作用窓３２のその他の部分は、開口部３７Ａから露出されている。つまり、開口部３７Ａは、操作用窓３２の少なくとも一部を露出させる位置に設けられている。これにより、フレーム６Ｂを開いたり取り外したりしなくても、操作用窓３２から露出されるフック部材４Ｂを操作することができる。
【００２７】
本実施の形態では、表紙２、ベース部材３Ａ，３Ｂ、載置部５Ａ，５Ｂ及びフレーム６Ａ，６Ｂの材料として、紙材を適用した。しかしながら、本発明に係る表紙、ベース部材等の材料としては、ポリプロピレン（ＰＰ）やポリカーボネート（ＰＣ）などの合成樹脂を用いてもよく、また、アルミニウム、チタン合金などの金属、木材などを用いてよい。
【００２８】
また、本実施の形態では、フック部材４Ａ，４Ｂの材料として、ポリプロピレン（ＰＰ）を適用したが、ポリカーボネート（ＰＣ）などのその他の合成樹脂を用いることもできる。また、本発明に係るフック部材の材料としては、アルミニウム、チタン合金などの金属を用いてもよく、紙材や木材などを用いてもよい。
【００２９】
［ガイド溝］
次に、ベース部材３Ｂのガイド溝２７について、図３を参照して説明する。
図３（ａ）は、ベース部材３Ｂを展開した状態の説明図である。図３（ｂ）は、ベース部材３Ｂの平面図である。
【００３０】
ベース部材３Ａ，３Ｂのガイド溝２３，２７は、ベース部材３Ａ，３Ｂの長手方向に延びる線に対して対象に形成されている（図２参照）。そのため、ここでは、本実施の形態に係るガイド溝について、ベース部材３Ｂのガイド溝２７を例に挙げて詳しく説明する。
【００３１】
ガイド溝２７は、ガイド部２６の一方の短辺である上辺２６ｃからガイド部２６のカバー部２５に連続する長辺となる右側辺２６ｄまで延びる円弧状に形成されている。このガイド溝２７は、フック部材４Ｂの移動を制限する制限部４１と、制限部４１に連通する第１の挿通部４２及び第２の挿通部４３から構成されている。
【００３２】
制限部４１は、対向する２つの円弧辺４１ａ，４１ｂと、円弧辺４１ａ，４１ｂの一端に連続する第１の係止辺４１ｃと、円弧辺４１ａ，４１ｂの他端に連続する第２の係止辺４１ｄを有している。円弧辺４１ａ，４１ｂは、中心点が同一で曲率半径が異なる２つの曲線として形成されている。これら円弧辺４１ａ,４１ｂには、フック部材４Ｂの後述する摺動辺５１ａ,５１ｂがそれぞれ摺動可能に係合する。これにより、フック部材４Ｂは、円弧辺４１ａ,４１ｂに沿って移動方向Ｒ３,Ｒ４（図３（ｂ）参照）へ移動する。
【００３３】
第１の係止辺４１ｃは、ガイド部２６の上辺２６ｃと略平行な直線状に形成されている。第１の係止辺４１ｃには、移動方向Ｒ３へ移動したフック部材４Ｂの後述する第１の係合辺５１ｃが当接される。これにより、フック部材４Ｂは、移動方向Ｒ３への移動が係止され、第１の突出位置に配置される。
【００３４】
第２の係止辺４１ｄは、ガイド部２６の右側辺２６ｄと略平行な直線状に形成されている。第２の係止辺４１ｄには、移動方向Ｒ４へ移動したフック部材４Ｂの後述する第２の係合辺５１ｄが当接される。これにより、フック部材４Ｂは、移動方向Ｒ４への移動が係止され、第２の突出位置に配置される。つまり、フック部材４Ｂは、第１の突出位置と第２の突出位置との間で移動可能になっている。
【００３５】
第１の挿通部４２及び第２の挿通部４３は、制限部４１よりも小さい幅に設定されている。第１の挿通部４２は、第１の係止辺４１ｃに連続して設けられており、ガイド部２６の上辺２６ｃに開口している。この第１の挿通部４２には、フック部材４Ｂの後述する第１のフック片５２が挿通される。
【００３６】
第２の挿通部４３は、第２の係止辺４１ｄに連続して設けられており、ガイド部２６の右側辺２６ｄに開口している。この第２の挿通部４３は、右側辺２６ｄの中間部（うら表紙１２の長辺の中間部）に位置している。第２の挿通部４３には、フック部材４Ｂの後述する第２のフック片５３が挿通される。
【００３７】
ここで、ベース部材３Ａのガイド溝２３について、簡単に説明する。
ベース部材３Ａのガイド溝２３は、ベース部材３Ｂのガイド溝２７と同様に、制限部４６と、第１の挿通部４７と、第２の挿通部４８から構成されている（図５参照）。このガイド溝２３は、フック部材４Ａの移動を移動方向Ｒ１,Ｒ２へ案内する。フック部材４Ａは、移動方向Ｒ１への移動が係止される第１の突出位置と、移動方向Ｒ２への移動が係止される第２の突出位置との間で移動可能となっている。
【００３８】
［フック部材］
次に、フック部材４Ｂについて、図４を参照して説明する。
図４は、フック部材４Ｂの平面図である。
【００３９】
フック部材４Ａ，４Ｂは、ベース部材３Ａ，３Ｂの長手方向に延びる線に対して対象に形成されている（図２参照）。そのため、ここでは、本実施の形態に係るフック部材について、フック部材４Ｂを例に挙げて詳しく説明する。
【００４０】
フック部材４Ｂは、略円弧状に形成された板体からなり、ガイド部２６と同じ厚みに設定されている。フック部材４Ｂをガイド溝２７内に配置した状態において、フック部材４Ｂの表面５０は、ガイド部２６の表面２６ａと略同一平面上に位置する。また、フック部材４Ｂの裏面は、カバー部２５の表面２５ａ（図３（ｂ）参照）に摺動可能に当接される。
【００４１】
フック部材４Ｂは、ガイド溝２７の制限部４１内に配置されるスライダ５１と、スライダ５１に連続する第１のフック片５２及び第２のフック片５３から構成されている。スライダ５１は、対向する２つの摺動辺５１ａ，５１ｂと、摺動辺５１ａ，５１ｂの一端に連続する第１の係合辺５１ｃと、摺動辺５１ａ，５１ｂの他端に連続する第２の係合辺５１ｄを有している。
【００４２】
摺動辺５１ａは、ガイド溝２７の円弧辺４１ａに摺動可能に係合する。この摺動辺５１ａは、ガイド溝２７の円弧辺４１ａと略同一の曲率半径に設定された曲線として形成されている。摺動辺５１ｂは、ガイド溝２７の円弧辺４１ｂに摺動可能に係合する。この摺動辺５１ｂは、ガイド溝２７の円弧辺４１ｂと略同一の曲率半径に設定された曲線として形成されている。
【００４３】
第１の係合辺５１ｃは、直線状に形成されている。この第１の係合辺５１ｃは、フック部材４Ｂを移動方向Ｒ３に移動させると、ガイド溝２７の第１の係止辺４１ｃ（図３参照）に係合する。第２の係合辺５１ｄは、第１の係合辺５１ｃと同様に直線状に形成されている。この第２の係合辺５１ｄは、フック部材４Ｂを移動方向Ｒ４に移動させると、ガイド溝２７の第２の係止辺４１ｄに係合する。
【００４４】
スライダ５１には、載置部５Ｂの操作用窓３２（図２参照）から露出する３つの操作部５４が設けられている。この操作部５４は、スライダ５１に円形の貫通孔を設けることにより形成されている。例えば、ペン先などを操作部５４に引っ掛けることにより、フック部材４Ｂを簡単に移動させることができる。
【００４５】
なお、本実施の形態では、操作用窓３２から露出する３つの操作部５４のうち少なくとも１つがフレーム６Ｂの開口部３７Ａに臨むようになっている。したがって、操作用窓３２の一端がフレーム６Ｂの仕切り片３６ｅによって覆われていても、開口部３７Ａに臨む操作部５４にペン先などを引っ掛けることができ、フック部材４Ｂを簡単に移動させることができる。
【００４６】
第１のフック片５２は、スライダ５１の第１の係合辺５１ｃに連続して突出している。この第１のフック片５２の幅は、ガイド溝２７の第１の挿通部４２に応じた長さに設定されており、スライダ５１の幅よりも小さくなっている。フック部材４Ｂが第１の突出位置に配置されると、第１のフック片５２は、ガイド溝２７の第１の挿通部４２を貫通してガイド部２６の上辺２６ｃ（カバー部２５の上辺）から突出する。この第１のフック片５２には、台紙１を壁に掛けるための貫通孔５２ａが設けられている。
【００４７】
第２のフック片５３は、スライダ５１の第２の係合辺５１ｄに連続して突出している。この第２のフック片５３の幅は、ガイド溝２７の第２の挿通部４３に応じた長さに設定されており、スライダ５１の幅よりも小さくなっている。フック部材４Ｂが第２の突出位置に配置されると、第２のフック片５３は、ガイド溝２７の第２の挿通部４３を貫通してガイド部２６の右側辺２６ｄ（カバー部２５の右側辺）から突出する。この第２のフック片５３には、台紙１を壁に掛けるための貫通孔５３ａが設けられている。
【００４８】
第１の突出位置と第２の突出位置との中間は、収納位置となっている。フック部材４Ｂが収納位置に配置されると、第１のフック片５２は、ガイド溝２７の第１の挿通部４２内に位置し、第２のフック片５３は、ガイド溝２７の第２の挿通部４３内に位置する。つまり、収納位置では、フック部材４Ｂ全体がガイド部２６（カバー部２５）内に収まるようになっている。
【００４９】
ここで、フック部材４Ａについて簡単に説明する。
フック部材４Ａは、フック部材４Ｂと同様に、スライダ５６と、第１のフック片５７と、第２のフック片５８から構成されている（図５参照）。また、フック部材４Ａのスライダ５６には、載置部５Ａの操作用窓３１から露出する３つの操作部５９が設けられている。
【００５０】
フック部材４Ａが第１の突出位置に配置されると、第１のフック片５７は、ガイド溝２３の第１の挿通部４７を貫通してガイド部２２の上辺（カバー部２１の上辺）から突出する。フック部材４Ａが第２の突出位置に配置されると、第２のフック片５８は、ガイド溝２３の第２の挿通部４８を貫通してガイド部２２の左側辺（カバー部２１の左側辺）から突出する。また、フック部材４Ａが収納位置に配置されると、フック部材４Ａ全体がガイド部２２（カバー部２１）内に収まる。
【００５１】
［台紙の使用方法］
次に、台紙１の使用方法について、図５を参照して説明する。
図５（ａ）は、台紙１を横長状態で壁に掛ける場合の説明図である。図５（ｂ）は、台紙１を縦長状態で壁に掛ける場合の説明図である。
【００５２】
まず、台紙１を壁に掛けずに保管する場合について説明する。
壁に掛けない場合の台紙１は、例えば、表紙２を二つ折りにして保管される。そのため、おもて表紙１１、うら表紙１２及び背表紙１３の外面（他方の平面）が体裁面になる。台紙１を壁に取付けない場合は、フック部材４Ａ，４Ｂをそれぞれ収納位置に配置する。これにより、フック部材４Ａ，４Ｂは、カバー部２１，２５（ガイド部２２，２６）内に収まる。したがって、台紙１の体裁面からフック部材４Ａ，４Ｂが突出することが無く、体裁面の意匠性を損なわないようにすることができる（図１参照）。
【００５３】
また、載置部５Ａ，５Ｂに写真や絵などの取付対象物を載置すると、その取付対象物が操作用窓３１，３２を覆う。したがって、操作用窓３１，３２及び操作用窓３１，３２から露出するフック部材４Ａ，４Ｂを取付対象物によって隠すことができ、体裁面の意匠性を損なわないようにすることができる。
【００５４】
次に、台紙１を壁に掛ける場合について説明する。
本実施の形態では、台紙１を壁に掛ける状態を、横長状態、第１の縦長状態及び第２の縦長状態の３つの状態から選択することができる。
【００５５】
横長状態では、フレーム６Ａ，６Ｂが横方向に並ぶ（図５（ａ）参照）。第１の縦長状態では、フレーム６Ａ，６Ｂが上下方向に並び、フレーム６Ｂが上になる（図５（ｂ）参照）。そして、第２の縦長状態では、フレーム６Ａ，６Ｂが上下方向に並び、フレーム６Ａが上になる。
【００５６】
図５（ａ）に示すように、台紙１を横長状態で壁に掛ける場合は、フック部材４Ａ，４Ｂをそれぞれ第１の突出位置に配置する。つまり、載置部５Ａの操作用窓３１から露出する操作部５９に爪やペン先などを引っ掛けて、フック部材４Ａを移動方向Ｒ１へ移動させる。これにより、フック部材Ａが第１の突出位置に配置される。これと同様に、載置部５Ｂの操作用窓３２から露出する操作部５４に爪やペン先などを引っ掛けて、フック部材４Ｂを移動方向Ｒ３へ移動させる。これにより、フック部材Ｂが第１の突出位置に配置される。
【００５７】
フック部材４Ａを第１の突出位置に配置すると、第１のフック片５７がガイド溝２３の第１の挿通部４７を貫通し、カバー部２１（図２参照）の上辺及びおもて表紙１１の上辺から突出する。一方、フック部材４Ｂを第１の突出位置に配置すると、第１のフック片５２がガイド溝２７の第１の挿通部４２を貫通し、カバー部２５の上辺及びうら表紙１２の上辺から突出する。その結果、第１のフック片５２，５７を用いて台紙１を横長状態で壁に掛けることができる。
【００５８】
図５（ｂ）に示すように、台紙１を第１の縦長状態で壁に掛ける場合は、フック部材４Ａを収納位置に配置すると共に、フック部材４Ｂを移動方向Ｒ４へ移動させ、フック部材４Ｂを第２の突出位置に配置する。フック部材４Ｂを第２の突出位置に配置すると、第２のフック片５３がガイド溝２７の第２の挿通部４３を貫通し、カバー部２５の右側辺及びうら表紙１２の右側辺から突出する。その結果、第２のフック片５３を用いて台紙１を第１の縦長状態で壁に掛けることができる。
【００５９】
第２の突出位置に配置されたフック部材４Ｂの第２のフック片５３は、カバー部２５の右側辺及びうら表紙１２の右側辺の中央部から突出する。そのため、第１の縦長状態で台紙１を壁に掛ける場合に、台紙１が上下方向に傾くことを防止或いは抑制することができる。
【００６０】
台紙１を第２の縦長状態で壁に掛ける場合は、フック部材４Ｂを収納位置に配置すると共に、フック部材４Ａを移動方向Ｒ２へ移動させ、第２の突出位置に配置する。これにより、第２のフック片５８がカバー部２１の左側辺及びおもて表紙１１の左側辺から突出し、その第２のフック片５８を用いて台紙１を第２の縦長状態で壁に掛けることができる。
【００６１】
第２の突出位置に配置されたフック部材４Ａの第２のフック片５８は、カバー部２１の左側辺及びおもて表紙１１の左側辺中央部から突出する。そのため、第２の縦長状態で台紙１を壁に掛ける場合に、台紙１が上下方向に傾くことを防止或いは抑制することができる。
【００６２】
本実施の形態の台紙１よれば、１つのフック部材を移動させることで２つのフック片の一方をカバー部の周縁から突出させることができる。しかも、２つのフック片は、互いに交差する方向に突出するため、載置部に取付ける取付対象物の向きに応じて、壁に掛ける台紙１の向きを変えることができる。
【００６３】
本実施の形態の台紙１よれば、ガイド溝２３，２７がフック部材４Ａ，４Ｂの移動を円周方向（移動方向Ｒ１〜Ｒ４）に案内する。そのため、フック部材４Ａ，４Ｂを第１の突出位置から収納位置を経て第２の突出位置まで一方向の押圧操作で円滑に移動させることができる。また、フック部材４Ａ，４Ｂを第１の突出位置から第２の突出位置まで一方向の押圧操作で移動させるようにすることで、載置部５Ａ，５Ｂの操作用窓３１，３２の小型化を図ることができる。
【００６４】
本実施の形態の台紙１よれば、操作用窓３１，３２がフック部材４Ａ，４Ｂの移動方向に沿って延びる円弧状に形成されている。そのため、フック部材４Ａ，４Ｂの移動方向を使用者に認識させることができる。
【００６５】
本実施の形態の台紙１よれば、カバー部２１とガイド部２２（カバー部２５とガイド部２６も同様）を折り曲げ可能に連続させて一体に形成した。そのため、部品点数を削減してカバー部２１に対するガイド部２２の接着作業を容易にすることができ、生産効率を向上させることができる。例えば、カバー部２１とガイド部２２を別体に形成すると、ガイド部２２が２つの部品に分ける必要があり、部品点数が増加することになる。
【００６６】
本実施の形態の台紙１では、カバー部２１，２５とガイド部２２，２６を同じ大きさにした。しかしながら、本発明に係るカバー部とガイド部は、同じ大きさにしなくてもよい。なお。カバー部が表紙を兼ねる場合は、カバー部の裏面が体裁面になるため、ガイド部をカバー部と同じ大きさ、或いはカバー部よりも小さくするとよい。
【００６７】
本実施の形態の台紙１では、ベース部材３Ａ，３Ｂを表紙２に接着する構成としたが、ベース部材３Ａ，３Ｂのカバー部２１，２５が表紙を兼ねる構成としてもよい。この場合は、カバー部２１，２５の裏面２１ｂ，２５ｂが台紙１の体裁面となる。そして、カバー部２１，２５の裏面２１ｂ，２５ｂからフック部材４Ａ，４Ｂが露出することが無いため、この場合においても体裁面の意匠性を損なわないようにすることができる。
【００６８】
本実施の形態の台紙１では、表紙２を二つ折りにすることが可能な構成にしたが、本発明に台紙としては、表紙を１枚の板状に形成してもよく、また、三つ折り以上にすることが可能な構成にしてもよい。さらに、本発明の台紙としては、フック部材の数を１つにしてもよく、また、３つ以上にしてもよい。
【００６９】
本実施の形態の台紙１では、１つのフック部材に２つのフック片を設ける構成としたが、本発明の台紙としては、１つのフック部材に１つのフック片を設ける構成にすることもできる。その場合のフック部材は、フック片がカバー部（表紙）の周縁から突出する突出位置と、フック部材全体がカバー部内に収まる収納位置との間で移動する。
【００７０】
本実施の形態の台紙１では、カバー部２１とガイド部２２（カバー部２５とガイド部２６も同様）を一体に形成したが、カバー部２１とガイド部２２を別体にすることもできる。カバー部２１とガイド部２２を別体にする場合は、例えば、ガイド部２２と載置部５Ａを折り曲げ可能に連続させて一体に形成してもよい。また、本発明の台紙としては、カバー部２１、ガイド部２２及び載置部５Ａを折り曲げ可能に連続させて一体に形成してもよい。
【００７１】
〈２．第２の実施の形態〉
［台紙］
次に、本発明の台紙の第２の実施の形態について、図６を参照して説明する。
図６（ａ）は、本発明の台紙の第２の実施の形態に係るベース部材、フック部材及び載置部を説明する説明図である。図６（ｂ）は、本発明の台紙の第２の実施の形態に係るフック部材の突出位置を説明する説明図である。
【００７２】
本発明の台紙の第２の実施の形態は、第１の実施の形態の台紙１と同様な構成を有している。本発明の台紙の第２の実施の形態が台紙１と異なるところは、ベース部材６３、フック部材６４及び載置部である。そのため、ここでは、ベース部材６３、フック部材６４及び載置部について説明し、台紙１と共通する部分には同一の符号を付して重複した説明を省略する。
【００７３】
ベース部材６３は、カバー部２１と、このカバー部２１に重ねられるガイド部７２から構成されている。ガイド部７２は、カバー部２１と同じ大きさの長方形の板状に形成されており、一方の長辺がカバー部２１の一方の長辺に折り曲げ可能に連続している。ガイド部７２の表面７２ａは、載置部（不図示）に対向する。一方、ガイド部７２の裏面は、接着剤や接着シート等の固着方法によってカバー部２１の表面２１ａに接着される。
【００７４】
ガイド部７２には、フック部材６４の移動を案内するガイド溝７３が設けられている。このガイド溝７３は、Ｔ字状に形成されており、ガイド部７２の長辺と平行に延びる略長方形の第１の溝部７５と、この第１の溝部７５に連通してガイド部７２の短辺と平行に延びる略四角形の第２の溝部７６から構成されている。
【００７５】
第１の溝部７５は、長手方向の一端がガイド部７２の一方の短辺である上辺７２ｂに開口している。つまり、第１の溝部７５は、ガイド部７２の長辺と平行に延びる左側辺７５ａ及び右側辺７５ｂと、ガイド部７２の短辺と平行に下辺７５ｃを有している。この第１の溝部７５の左側辺７５ａには、フック部材６４の上方向の移動を係止する段部７８が設けられている。
【００７６】
第２の溝部７６は、第１の溝部７５の左側辺７５ａに直交しており、一端がガイド部７２の左側辺７２ｃに開口している。つまり、第２の溝部７６は、ガイド部７２の短辺と平行に延びる上辺７６ａ及び下辺７６ｂを有している。この第２の溝部７６の上辺７６ａには、フック部材６４の左方向の移動を係止する段部７９が設けられている。
【００７７】
フック部材６４は、ガイド部７２と同じ厚みに設定された板体からなっている。このフック部材６４は、ガイド溝７３内に配置されるスライダ８１と、スライダ８１に連続する第１のフック片８２及び第２のフック片８３から構成されている。スライダ８１は、Ｔ字状に形成されており、ガイド溝７３の第１の溝部７５に係合される長方形の縦長部８５と、この縦長部８５の一方の長辺（左側辺）に連続する長方形の横長部８６からなっている。
【００７８】
第１のフック片８２は、縦長部８５の一方の短辺（上辺）に連続しており、その短辺に直交する方向に突出している。この第１のフック片８２には、第２の実施の形態の台紙を壁に掛けるための貫通孔８２ａが設けられている。第２のフック片８３は、横長部８６の短辺（左側辺）に連続しており、その短辺に直交する方向に突出している。この第２のフック片８３には、第２の実施の形態の台紙を壁に掛けるための貫通孔８３ａが設けられている。
【００７９】
載置部（不図示）は、ベース部材６３と略同じ大きさの長方形の板状に形成されている。載置部は、ガイド部７２の表面７２ａに重ねられ、接着剤や接着シートなどの固着方法によって接着される。この載置部には、フック部材６４の一部を露出させる操作用窓８９が設けられている。操作用窓８９は、フック部材６４の移動方向に沿って延びる略Ｌ字状に形成されている。
【００８０】
次に、フック部材６４が配置される収納位置、第１の突出位置及び第２の突出位置について説明する。
フック部材６４は、スライダ８１の縦長部８５が第１の溝部７５の左側辺７５ａ及び下辺７５ｃに当接すると、収納位置に配置される（図６（ａ）参照）。フック部材６４が収納位置に配置されると、フック部材６４全体がガイド部７２（カバー部２１）内に収まる。
【００８１】
収納位置からフック部材６４を上方に移動させると、スライダ８１の横長部８６が第２の溝部７６の上辺７６ａ及び段部７９に当接する。これにより、フック部材６４は、上方向と左右方向への移動が係止され、第１の突出位置に配置される（図６（ｂ）参照）。フック部材６４が第１の突出位置に配置されると、第１のフック片８２がガイド部７２の上辺７２ｂ（カバー部２１の上辺）から突出する。
【００８２】
収納位置からフック部材６４を左側に移動させると、スライダ８１の縦長部８５が第１の溝部７５の左側辺７５ａ及び段部７８に当接する。これにより、フック部材６４は、上方向と左右方向への移動が係止され、第２の突出位置に配置される（図６（ｂ）の二点鎖線を参照）。フック部材６４が第２の突出位置に配置されると、第２のフック片８３がガイド部７２の左側辺７２ｃ（カバー部２１の左側辺）から突出する。このとき、第２のフック片８３は、左側辺７２ｃの中間部に位置している。
【００８３】
このような第２の実施の形態の台紙においても、第１の実施の形態の台紙１と同様な効果を得ることができる。すなわち、フック部材６４を第１の突出位置又は第２の突出位置に配置することにより、壁に掛けて使用することができる。また、台紙を壁に掛けずに保管しておく場合は、フック部材６４を収納位置に配置することにより、体裁面の意匠性を損なわないようにすることができる。
【００８４】
以上、本発明の台紙の実施の形態について、その作用効果も含めて説明した。しかしながら、本発明の台紙は、上述の実施形態に限定されるものではなく、特許請求の範囲に記載した発明の要旨を逸脱しない範囲内で種々の変形実施が可能である。例えば、上述の実施の形態では、台紙の一具体例として写真台紙を挙げて説明したが、本発明の台紙としては、電報の台紙、ジグソーパズルの台紙などその他の台紙に適用することがきる。
【符号の説明】
【００８５】
１…台紙、  ２…表紙、  ３Ａ，３Ｂ…ベース部材、  ４Ａ，４Ｂ…フック部材、  ５Ａ，５Ｂ…載置部、  ６Ａ，６Ｂ…フレーム、  １１…おもて表紙、  １２…うら表紙、  １３…背表紙、  ２１，２５…カバー部、  ２２，２６…ガイド部、  ２３，２７…ガイド溝、  ３１，３２…操作用窓、  ３５，３７Ａ，３７Ｂ…開口部、  ４１，４６…制限部、  ４２，４７…第１の挿通部、  ４３，４８…第２の挿通部、  ５１，５６…スライダ、  ５２，５７…第１のフック片、  ５３，５８…第２のフック片、  ５４，５９…操作部
【図１】
2010273808.tif 000003
【図２】
2010273808.tif 000004
【図３】
2010273808.tif 000005
【図４】
2010273808.tif 000006
【図５】
2010273808.tif 000007
【図６】
2010273808.tif 000008